(57)【要約】【課題】耐火性のシートを敷くだけで簡単にバーベキューを実施できるようにする。【解決手段】バーベキューのために必要な平面積を有し、また必要に応じて周縁部を上方又は斜め上方に立ち上がらせた状態に縫製してなる繊維状の耐火シートにより簡易バーベキューシートを構成する。これを川原や庭先などに敷設し、さらにこれらの簡易バーベキューシートとの間に若干の間隔をあけてその上方に焼き網を設置することにより、そのままで簡単にバーベキューを開始することができるために場所を選ばずに簡便にバーベキューをおこなうことができ、運搬には折り畳んでカバン内に収納したまま簡単に持ち運びができ、また使用後には燃えカスや食べ残し食品などと一緒に包んでそのまま廃棄することもできるために保管や運搬に不都合がなく、また後片付けの面倒さを殆ど解消することができる。【選択図】図１
0003107692.tif 000002
【実用新案登録請求の範囲】
【請求項１】
バーベキューのために必要な平面積を有した繊維状の耐火シートからなる簡易バーベキューシート。
【請求項２】
繊維状の耐火シートが、周縁部を上方又は斜め上方に立ち上がらせた状態に縫製してなるものであるところの請求項１に記載の簡易バーベキューセット。
【請求項３】
繊維状の耐火シートが、不織布又は織布からなるものであるところの請求項１に記載の簡易バーベキューシート。
【請求項４】
繊維状の耐火シートが、不織布又は織布を主材とし、これに樹脂系又は金属系、あるいは黒鉛などの耐火質材を結合させたものである請求項１に記載の簡易バーベキューシート。
【考案の詳細な説明】
【技術分野】
【０００１】
本考案は、山や海・河川敷、公園などの観光や行楽地において、また空き地や家庭の庭先などにおいておこなわれるバーベキューに際して簡易に使用可能なバーベキューシートに関し、運搬や保管、および後片付けを容易にすることを目的とする。
【背景技術】
【０００２】
行楽地などにおいてバーベキュー設備を備えているところはきわめて限られた一部にすぎないために、一般的には鉄製のバーベキューセットを目的地まで持参することが殆どである。  このような場合に使用されるバーベキューコンロとしては、一例をあげれば特開２００２−１９５５６７号公報に開示されているような、鉄製の炭入部の左右両端に据付用脚を位置調整自在に取り付けるようにしたものが知られる。
【特許文献１】特開２００２−１９５５６７号公報
【考案の開示】
【考案が解決しようとする課題】
【０００３】
上記した鉄製のバーベキューコンロは頑丈できわめて耐火性に優れているが、相当の重量があり、しかも嵩張るところから不使用時の保管に場所をとり、さらに運搬時には二人がかりで担う必要があり、また金属の角部分に接触して怪我をすることも多い。
【０００４】
さらに自動車のトランクルーム内においても嵩張るために、他の荷物の積載量が制限されることが多く、しかも使用後の冷却に時間がかかり、洗浄作業も容易ではない。  また洗浄後の分解作業や後片付けも容易ではなく、油引きなど十分な手入れを怠ると錆びやすく、取り扱い性には十分な注意を要する。
【課題を解決するための手段】
【０００５】
そこで本考案は、上記した課題を解決し、バーベキュー設備を備えていないところで、しかも保管や運搬に不都合がなく、場所を選ばずに簡便にバーベキューをおこなうことができるとともに、後片付けの面倒さを殆ど解消するようにしたものであって、具体的にはバーベキューのために必要な平面積を有し、また必要に応じて周縁部を上方又は斜め上方に立ち上がらせた状態に縫製してなる繊維状の耐火シートからなる簡易バーベキューシートに関する。
【考案の効果】
【０００６】
上記した構成において、川原などにおいて、例えば一定の範囲を楕円形に石積みにより適当な高さの堰堤で囲んで中央に平坦部を形成するとともに、繊維状の耐火シートからなる簡易バーベキューシートをこれに合わせて敷設し、耐火シートの周縁部を上記堰堤上にかかるように設置し、あるいは適当なスタンドにより支えられているところの、ある程度の耐火性のある枠体上に上記の簡易バーベキューシートを敷設し、さらにこれらの簡易バーベキューシートとの間に若干の間隔をあけてその上方に焼き網を設置することにより、そのままで簡単にバーベキューを開始することができるために場所を選ばずに簡便にバーベキューをおこなうことができる。
【０００７】
また、必要に応じて繊維状の耐火シートの周縁部を上方又は斜め上方に立ち上がらせた状態に縫製して有底の箱状に形成することにより、このままでも上部開口縁に焼き網を載せて直ちにバーベキューに供することができる。さらに運搬に際しては、折り畳んでカバン内に収納したまま簡単に持ち運びができ、また使用後には燃えカスや食べ残し食品などと一緒に包んでそのまま廃棄することもできるために保管や運搬に不都合がなく、また後片付けの面倒さを殆ど解消することができる。
【考案を実施するための最良の形態】
【０００８】
以下において本考案の具体的な内容を図１〜３にあらわした実施例をもとに説明すると、１は簡易バーベキューシートをあらわしている。  さらに簡易バーベキューシート１は材料として繊維状の耐火シートが用いられる。  この場合に使用される繊維状の耐火シートについては、不織布又は織布を主材とするものが好ましく、さらにこれに樹脂系又は金属系、あるいは黒鉛などの耐火質材を結合させたものなどが用いられる。
【０００９】
具体例を示すと、２枚の不織布の間に、少なくとも黒鉛成分と無機繊維とを合成樹脂にてバインドして形成した芯材をサンドイッチ状に重ね合わせて構成した耐火シートを用いることができる。  また不燃性繊維からなる厚み：０．５〜１０ｍｍ程度の織布又は不織布の繊維間にリン化合物および中和処理された熱膨張性黒鉛を担持させたものでもよい。
【００１０】
さらに、エポキシ樹脂、中和処理された熱膨張性黒鉛および無機充填材をもって厚み：０．３〜６ｍｍ程度にしたシート中に、１平方あたりの重量：２５〜２０００ｇの不燃性繊維状材料からなるネット又はマットを埋め込んで耐火シートとしたものでもよい。
【００１１】
さらに天然繊維や合成繊維で形成した織物や不織布に高温下で炭化する耐火塗料を保持させ、また必要に応じて上記耐火塗料に発泡材を含ませ、またその一面にアルミニウム等の金属その他の表層材を形成して上記耐火シートが高熱に晒された場合に、耐火塗料が炭化するとともに発泡して多数の気泡を生じ、これによって多孔質の厚い炭化層を形成できるようにしたものでもよい。
【００１２】
その他、９９％以上の天然黒鉛を原料としたグラファイトシート、「ファースト・グラファイトシート」（製造元：ティーエルシー有限会社）や、あるいはガラスクロスやシリカクロスを素材とし、これにシリコーン樹脂系耐熱塗料をコーティングしたダイモマッハシート（製造元：トピー工業株式会社）なども使用可能であり、とくに９４〜９７％のシリカ繊維シートに３〜４％程度のシランカップリングをコーティングして重量６２０ｇ／ｍ２、厚さ０．８ｍｍ前後とした品番：ダイモマッハシート６０００などは好適である。
【００１３】
さらに上記した繊維状耐火シートからなる簡易バーベキューシート１の形状については方形もしくは楕円、菱形等格別限定されるものではないが、バーベキューのために必要かつ十分な平面積（例えば方形である場合には縦：６０〜１２０ｃｍ、横：６０〜１５０ｃｍ）を有するものである必要がある。
【００１４】
上記した簡易バーベキューシート１は、簡単には図１に示したように、簡易バーベキューシート１を河川敷や庭先などにおける一定の広さを有する地面上に敷き、両端付近に石２を並べて該石２・２間に焼き網３を懸架させて用いることができる。  また一定の範囲を楕円形に石積みにより適当な高さの堰堤で囲んで中央に平坦部を形成するとともに、簡易バーベキューシート１をこれに合わせて敷設し、該シート１の周縁部を上記堰堤上にかかるように敷き、堰堤間に焼き網３を架け渡して使用することもできる。
【００１５】
さらに図２に示したように、適当なスタンド４により支えられているところの、ある程度の耐火性のある枠体５上に上記の繊維状の耐火シートをからなる簡易バーベキューシート１を掛け渡して敷設するとともに、該シート１の中央の窪んだ部分１ａに炭その他の燃料を乗せ、さらに前記スタンド４の上部に焼き網３を載せて用いることもできる。
【００１６】
また、図３に示したように、繊維状の耐火シートからなる簡易バーベキューシート１の周縁部を、対面する一対の対辺１ｂ・１ｂおよび１ａ・１ａの一定の幅部分を上方に（又は斜め上方）に立ち上がらせるとともに、各辺の立ち上がり端部を相互に縫製結合させることにより有底の箱状に形成し、その内底部に炭などの燃料を入れるとともに、上方開口縁に焼き網３を載せて使用することも可能である。
【図面の簡単な説明】
【００１７】
【図１】本考案の一実施例である簡易バーベキューシートの使用状態をあらわした斜視図。
【図２】本考案の別の実施例である簡易バーベキューシートの使用状態をあらわした斜視図。
【図３】本考案のさらに別の実施例である簡易バーベキューシートの使用状態をあらわした斜視図。
【符号の説明】
【００１８】
１        簡易バーベキューシート
２        石
３        焼き網
４        スタンド
５        枠体
【図１】
0003107692.tif 000003
【図２】
0003107692.tif 000004
【図３】
0003107692.tif 000005
【手続補正書】
【提出日】平成16年11月2日(2004.11.2)
【手続補正１】
【補正対象書類名】実用新案登録請求の範囲
【補正対象項目名】全文
【補正方法】変更
【補正の内容】
【実用新案登録請求の範囲】
【請求項１】
縦：６０〜１２０ｃｍ、横：６０〜１５０ｃｍの方形をした繊維状の耐火シートからなる簡易バーベキューシート。
【請求項２】
繊維状の耐火シートが、周縁部を上方又は斜め上方に立ち上がらせた状態に縫製してなるものであるところの請求項１に記載の簡易バーベキューセット。
【請求項３】
繊維状の耐火シートが、不織布又は織布からなるものであるところの請求項１に記載の簡易バーベキューシート。
【請求項４】
繊維状の耐火シートが、不織布又は織布を主材とし、これに樹脂系又は金属系、あるいは黒鉛などの耐火質材を結合させたものである請求項１に記載の簡易バーベキューシート。